(57)【要約】  【課題】設置場所を選ばす、管理及び移動が容易な骨箱を提供することにある。  【解決手段】本発明の骨箱は、故人または動物の骨が納められた骨壷が複数収納されるものであって、前記骨壷が収納される筐体と、前記骨壷が少なくとも１個載置され、前記骨壷と共に前記筐体内に収納される架台とを有し、前記架台は、複数段積み重ねられて前記筐体に収納される。【選択図】図１
2005137434.tif 000002
【特許請求の範囲】
【請求項１】
故人または動物の骨が納められた骨壷が複数収納される骨箱であって、
前記骨壷が収納される筐体と、
前記骨壷が少なくとも１個載置され、前記骨壷と共に前記筐体内に収納される架台とを有し、
前記架台は、複数段積み重ねられて前記筐体に収納されることを特徴とする骨箱。
【請求項２】
前記架台は、前記骨壷が載置される基台と、前記基台に立設された略コ字形状のフレームとを有し、前記フレームの水平部には、取手が設けられている請求項１に記載の骨箱。
【請求項３】
前記筐体は、その表面に家名、墓誌および家紋のうち少なくとも１つが記録される記録部を有する請求項１または２に記載の骨箱。
【発明の詳細な説明】
【技術分野】
【０００１】
故人または動物の骨が納められた骨壷を架台に複数載置して収納され、管理および移動が容易な骨箱に関する。
【背景技術】
【０００２】
近年、特に都市部では、核家族化が進み、小家族世帯および老人だけの世帯が増えている。
この小家族世帯および老人だけの世帯において、近親者が亡くなり、お墓が必要になった場合、以下に示すような問題が生じる。
【０００３】
お墓は、一般的に高価であり、少なくとも１００万円以上必要となり、大きな出費となる。また、お墓を手に入れたとしても、必ずしも住居の近くであるか、または交通の便が良いところとは限らない。さらに、お墓は、一旦購入すると、購入者の転居に伴い移動させることが容易ではない。このため、購入者の転居により、お墓がある場所と、住居との距離がさらに遠くなり、お墓への献花、またはお墓を掃除するなどの管理に大変な労力を要することになる。
また、愛着が特にあった故人、またはペットなど愛玩動物の遺骨を身近に保管したいという需要及び要望も多くある。
【０００４】
そこで、家族毎に自身の身近でお墓を長期に亘って大切に保管することができるお墓型の納骨器具が提案されている（例えば、特許文献１参照）。
特許文献１に開示された納骨器具は、一般的なお墓の形状を有するものであり、棹石、台石などからなる上部の墓碑部と、内部をくりぬいて、分骨したお骨を収納できる納骨スペースを形成した下部の納骨部とからなり、その重量は、大人が１人で持ち運べる程度である。この墓碑部、および納骨部はそれぞれ加工した石材を接着剤によって一体化したものである。これにより、自分の家の中で好きな場所に自由に設置して故人の冥福を祈ることができる。
【０００５】
【特許文献１】特開２０００−２３４４５５号公報
【発明の開示】
【発明が解決しようとする課題】
【０００６】
しかしながら、特許文献１に開示された納骨器具は、外形が、お墓の形状であるため、家の中に設置する場合、設置場所が限定されてしまう。このため、必ずしも自由な場所に設置できないという問題点がある。また、転居に際して、お墓そのものの形状であるため、可般性に乏しく、移動が大変であるという問題点もある。
【０００７】
本発明の目的は、前記従来技術に基づく問題点を解消し、設置場所を選ばす、管理及び移動が容易な骨箱を提供することにある。
【課題を解決するための手段】
【０００８】
上記目的を達成するために、本発明は、故人または動物の骨が納められた骨壷が複数収納される骨箱であって、前記骨壷が収納される筐体と、前記骨壷が少なくとも１個載置され、前記骨壷と共に前記筐体内に収納される架台とを有し、前記架台は、複数段積み重ねられて前記筐体に収納されることを特徴とする骨箱を提供するものである。
【０００９】
本発明において、前記架台は、前記骨壷が載置される基台と、前記基台に立設された略コ字形状のフレームとを有し、前記フレームの水平部には、取手が設けられていることが好ましい。
【００１０】
また、本発明において、前記筐体は、その表面に家名、墓誌および家紋のうち少なくとも１つが記録される記録部を有することが好ましい。
【発明の効果】
【００１１】
本発明の骨箱によれば、骨壷を少なくとも１個載置できる架台を複数段積み重ねて収納することができる。このため、骨壷を複数まとめて収納できるので、骨壷の管理が容易にでき、移動も容易にできる。
さらに、本発明の骨箱は、複数の骨壷をまとめて収納できるため、室内に保管した場合、お墓として機能させることもできる。
【発明を実施するための最良の形態】
【００１２】
以下に、添付の図面に示す好適実施形態に基づいて、本発明の骨箱を詳細に説明する。
【００１３】
図１（ａ）は、本発明の実施例に係る骨箱を示す斜視図であり、図１（ｂ）は、図１（ａ）に示す骨箱の内部の状態を示す斜視図である。
図１（ａ）に示すように、骨箱１０は、略直方体の筐体１４と、蓋部１５と、架台１６（図１（ｂ）参照）とを有する。
【００１４】
筐体１４は、角筒状の底を有するものであり、高さ方向における一方が底（図示せず）になっており、他方は開口（図示せず）している。
【００１５】
筐体１４は、例えば、その側面の１つの面１４ａに２つの記録部３０ａ、３０ｂが設けられている。
この記録部３０ａは、例えば、家名が記録されるものであり、例えば、長方形状の薄板からなるものである。この記録部３０ａは、例えば、筐体１４表面１４ａの中央部に貼り付けられる。
【００１６】
記録部３０ｂは、例えば、墓誌が記録されるものであり、例えば、長方形状の薄板からなるものである。この記録部３０ｂも、例えば、筐体１４表面１４ａの記録部３０ａの下方に貼り付けられる。
記録部３０ａ、３０ｂへの家名および墓誌の記録方法は、特に限定されるものではなく、印刷および刻設が例示される。また、記録部３０ａ、３０ｂの材質は、特に限定されるものではない。
本実施例においては、記録部３０ａ、３０ｂは、いずれも筐体１４の表面に直接、家名および墓誌が、印刷、レーザ加工、またはシールの貼り付けなどにより記録してもよい。
【００１７】
なお、筐体１４の材質は、特に限定されるものではなく、例えば、御影石、大理石、および合成大理石を用いることができる。さらには、筐体１４は、例えば、磁器または陶器により形成してもよい。しかしながら、筐体１４に用いられる材料としては、可搬性の点から、骨壷を収納できる強度を有するものであれば、できる限り軽いものが好ましい。また、筐体１４に用いられる材料としては、厳かな質感または美感を備えるものであることが更に好ましい。
【００１８】
蓋１５は、筐体１４の開口を塞ぐものである。この蓋１５の上面１５ａに、記録部３０ｃが設けられている。この記録部３０ｃは、例えば、家紋が記録されるものであり、例えば、円形の薄板からなるものである。
【００１９】
なお、記録部３０ｃへの家紋の記録方法は、特に限定されるものではなく、印刷および刻設が例示される。また、記録部３０ｃの材質も、特に限定されるものではなく、記録部３０ａ、３０ｂと同様のものを用いることができる。さらに、記録部３０ｃも、蓋１５の上面１５ａに直接、家紋を印刷、レーザ加工、またはシールの貼り付けなどにより記録してもよい。
【００２０】
架台１６は、骨壷１２（図２参照）が少なくとも１個載置され、筐体１４内部に複数積み重ねられて収納されるものである。
【００２１】
先ず、骨壷１２について説明する。
ここで、図２は、本実施例の骨箱に収納される骨壷を示す斜視図である。
図２に示すように、骨壷１２は、筐体部６８と、蓋部７０とを有する。
筐体部６８は、故人の骨（遺骨）、および遺灰、または飼っていた動物の骨および遺灰などが納められるものである。この筐体部６８は、例えば、角筒状の底を有するものであり、高さ方向における一方が底（図示せず）になっており、他方は開口（図示せず）している。
【００２２】
この筐体部６８は、その側面の１つの面６８ａに、長方形のプレート７２が設けられている。この長方形のプレート７２には、骨壷１２に納められている故人の俗名または動物の名前などが記録される。
【００２３】
また、蓋部７０の上面７０ａには、故人の家紋などが記録された円形プレート７４が設けられている。
なお、長方形のプレート７２、および円形プレート７４への記録方法は、記録部３０ａ、３０ｂと同様のものとすることができる。また、俗名、または家紋は、筐体部６８および蓋部７０の長方形のプレート７２、および円形プレート７４が設けられる領域に直接記録してもよい。
【００２４】
図３（ａ）は、本実施例の骨箱に収納される架台を示す斜視図であり、（ｂ）は、図３（ａ）に示す領域Ａの拡大図である。
図３（ａ）に示すように、架台１６は、基台１８と、フレーム２０とを有する。
【００２５】
基台１８は、例えば、略正方形状の板部材からなり、その上面１８ａに、例えば、正方形状の凹部２２が４つ同じ大きさで形成されている。凹部２２は井桁状に配置されており、隣接する凹部２２間の間隔は同じである。
この凹部２２は、骨壷１２が載置されるものであり、凹部２２の大きさは、骨壷１２の底面の大きさと同じか、それ以上である。また、凹部２２の形状は、骨壷１２の外形形状と略同じである。
【００２６】
フレーム２０は、基台１８に立設されるものである。このフレーム２０は、十字形状の基体２３と、脚部２６ａ〜２６ｄとを有する。
【００２７】
基体２３は、十字形状を呈しており、同一平面内で四方に伸びる４つの腕部（水平部）２４ａ〜２４ｄを有する。これらの腕部２４ａ〜２４ｄは、その幅が凹部２２の間隔よりも狭いものである。また、基体２３の両端部の距離は、基台１８の一辺の長さと略同じである。
【００２８】
腕部２４ａ〜２４ｄの端部には、それぞれ脚部２６ａ〜２６ｄが垂直に設けられている。脚部２６ａ〜２６ｄは、その幅が腕部２４ａ〜２４ｄの幅と略同じである。また、脚部２６ａ〜２６ｄの長さは、骨壷１２の高さ方向における長さよりも長い。
【００２９】
このように、フレーム２０は構成されるものであり、フレーム２０は、側面視が略コ字形状を呈するものである。
フレーム２０は、脚部２６ａ〜２６ｄが、基台１８の上面１８ａに各凹部２２との間に接合されている。このように、脚部２６ａ〜２６ｄが各凹部２２間の隙間に接合されているので、骨壷１２を凹部２２に載置する場合、邪魔にならならず、骨壷１２を容易に配置できる。
【００３０】
また、フレーム２０の腕部２４ａ、２４ｃには、取手２８が設けられている。この取手２８は、垂直方向に引き出し自在なものである。
図３（ｂ）に示すように、取手２８は、棒材を略コ字状に成形したものであり、水平部２８ａと垂直部２８ｂとを有する。
【００３１】
腕部２４ａ、２４ｃの表面には、水平方向に延びる溝部６６が形成されており、この溝部６６の水平方向の長さは、取手２８の水平部２８ａの長さよりも長い。溝部６６の深さの値は、取手２８の水平部２８ａの直径の値よりも大きい。
さらに、溝部６６には、水平方向における両端に、それぞれ貫通穴２７が形成されている。この貫通穴２７の径は、取手２８を構成する棒材の径よりも大きい。また、溝部６６には、水平方向における中心部において連通する円形状の凹部６９が形成されている。
取手２８は、垂直部２８ｂが貫通穴２７に挿通されており、垂直部２８ｂの端部に貫通穴２７の径よりも径大の円板状の留部材６４が設けられている。これにより、取手２８の抜けが防止される。
【００３２】
本実施例においては、図１（ｂ）に示すように、架台１６を２段積み重ねた場合、取手２８は、腕部２４ａ、２４ｃの表面から突出することがなく、更には十字状の基体２３で上部の架台１６を受けているので、安定して架台１６を積み重ねることができる。
また、溝部６６の深さが水平部２８ａよりも深いので、取手２８は、腕部２４ａ、２４ｃの表面よりも下側に収納される。本実施例においては、腕部２４ａ、２４ｃの表面よりも下側に収納されても、凹部６９が設けられているので、取手２８は取り出し易い。
【００３３】
本実施例においては、例えば、４つの骨壷１２を載置できる架台１６を２段に積み重ねて、筐体１４内に収納されており、本実施例の骨箱１０は、最大８個の骨壷を収納することができる。架台１６は、積み重ねて収納することができるので、骨箱１０を小型化できる。これにより、骨箱１０は、設置場所を選ぶことがなくなり、管理も容易にでき、さらには、移動も容易に行うことができる。
さらに、本実施例の骨箱１０は、複数の骨壷をまとめて収納でき、家名、家紋および墓誌を記録することができるので、室内に保管した場合、お墓として機能させることもできる。
【００３４】
また、架台１６には、凹部２２が形成されており、この凹部２２に骨壷１２が置かれる。このため、骨壷１２が安定して架台１６に置かれるので、転倒が防止される。
【００３５】
さらに、本実施例の骨箱１０は、その表面に家紋、家名、および墓誌を記録することができる。このため、お墓として機能させることができるので、一般家庭に室内用のお墓として設置することができる。この場合、骨箱１０の材質を御影石などのお墓の材質と同じものにすることにより、優れた美観を有するものにできる。
【００３６】
なお、本実施例においては、１つの架台１６に４個の骨壷１２が載置できるものとし、この架台１６を２段積み重ねる構成としたが、本発明は、これに限定されるものではない。例えば、家族構成に応じて、架台１６に骨壷１２を２個載置できるものとし、この架台を２段積み重ねて収納する構成にしてもよい。また、筐体１４の意匠もお墓に類似する意匠としてもよく、更には故人にちなんだデザインとしてもよい。さらに、親族単位で骨壷を骨箱に収納することが更に好ましい。また、骨箱１０または骨壷１２に、遺品などを入れてもよいことは言うまでもない。
【００３７】
以上、本発明である骨箱の実施例の説明を行ったが、本発明は以上の例に限定はされず、本発明の要旨を逸脱しない範囲において、各種の改良および変更を行ってもよいのはもちろんである。
【図面の簡単な説明】
【００３８】
【図１】（ａ）は、本発明の実施例に係る骨箱を示す斜視図であり、（ｂ）は、図１（ａ）に示す骨箱の内部の状態を示す斜視図である。
【図２】本実施例の骨箱に収納される骨壷を示す斜視図である。
【図３】（ａ）は、本実施例の骨箱に収納される架台を示す斜視図であり、（ｂ）は、図３（ａ）に示す領域Ａの拡大図である。
【符号の説明】
【００３９】
１０  骨箱
１２  骨壷
１４  筐体
１５  蓋部
１６  架台
１８  基台
２０  フレーム
２２  凹部
２４ａ〜２４ｄ  腕部
２６ａ〜２６ｄ  脚部
２７  貫通穴
２８  取手
３０ａ、３０ｂ、３０ｃ  記録部
【図１】
2005137434.tif 000003
【図２】
2005137434.tif 000004
【図３】
2005137434.tif 000005